(57)【特許請求の範囲】
【請求項１】
ファン（２）および熱交換器（３）を収納する本体ケーシング（１）を備えた空気調和機用室内機において、前記本体ケーシング（１）の天板（１３）には、該天板（１３）を二つの領域（１３ａ），（１３ｂ）に分割する縦補強リブ（１４）と、前記二つの領域（１３ａ），（１３ｂ）にあって前記縦補強リブ（１４）と対向する天板側縁（１３ｃ），（１３ｃ）との間にそれぞれ配置される横補強リブ（１５），（１６）とを形成したことを特徴とする空気調和機用室内機。
【請求項２】
前記天板（１３）を矩形形状とするとともに、前記縦補強リブ（１４）を、前記天板（１３）の対向する側縁（１３ｃ），（１３ｃ）と平行となしたことを特徴とする請求項１記載の空気調和機用室内機。
【請求項３】
前記横補強リブ（１５），（１６）を複数本形成したことを特徴とする請求項１および２のいずれか一項記載の空気調和機用室内機。
【請求項４】
前記横補強リブ（１５），（１６）を、前記縦補強リブ（１４）および天板側縁（１３ｃ）と直交する方向に形成したことを特徴とする請求項１、２および３のいずれか一項記載の空気調和機用室内機。
【請求項５】
前記横補強リブ（１５），（１６）を、前記縦補強リブ（１４）および天板側縁（１３ｃ）と直交する方向に一直線に並ぶものと一直線に並ばないものとにより構成したことを特徴とする請求項４記載の空気調和機用室内機。
【請求項６】
前記二つの領域（１３ａ），（１３ｂ）における側周縁（１３ｃ），（１３ｄ），（１３ｅ）には、下向きの縁曲げリブ（１７），（１７），（１７）を形成したことを特徴とする請求項１、２、３、４および５のいずれか一項記載の空気調和機用室内機。
【請求項７】
前記縦補強リブ（１４）を、曲げ加工により形成したことを特徴とする請求項１、２、３、４、５および６のいずれか一項記載の空気調和機用室内機。
【請求項８】
前記横補強リブ（１５），（１６）を、張り出し成形により形成したことを特徴とする請求項１、２、３、４、５、６および７のいずれか一項記載の空気調和機用室内機。
【発明の詳細な説明】
【技術分野】
【０００１】
本願発明は、空気調和機用室内機に関し、さらに詳しくは空気調和機用室内機における天板の構造に関するものである。
【背景技術】
【０００２】
この種の空気調和機用室内機（例えば、ビルトインタイプの空気調和機用室内機）における天板の剛性を強化する方法としては、Ｌ型アングル材をスポット溶接したり、Ｌ型アングル材をスポット溶接したものに補強用のリブを形成する等の手法が採用されている。しかしながら、このように剛性強化方法を採用した場合、別部材であるＬ型アングル材を取り付けるものなので、コストアップを免れ難いばかりでなく、重量も嵩むとともに、天板の板厚が厚くならざるを得ないという不具合があった。
【０００３】
また、この種の天板に複数の平行補強リブを形成することにより、天板の剛性を強化する技術は、特許文献１にも開示されているように、従来から知られている。
【０００４】
【特許文献１】特開２００６−１０５５７３号公報
【発明の開示】
【発明が解決しようとする課題】
【０００５】
上記特許文献１に開示されている技術は、ファンおよびファンモータを天板に吊持する構造の天板に関するものであり、静圧による天板のたわみおよび成形加工時におけるスプリングバックによる天板の捩れや反り返しを減らすことを考慮したものではない。
【０００６】
本願発明は、上記の点に鑑みてなされたもので、コストアップや重量増大をさせることなく、静圧による天板のたわみおよび成形後におけるスプリングバックによる天板の捩れや反り返しを減らすことを目的としている。
【課題を解決するための手段】
【０００７】
本願発明では、上記課題を解決するための第１の手段として、ファン２および熱交換器３を収納する本体ケーシング１を備えた空気調和機用室内機において、前記本体ケーシング１の天板１３に、該天板１３を二つの領域１３ａ，１３ｂに分割する縦補強リブ１４と、前記二つの領域１３ａ，１３ｂにあって前記縦補強リブ１４と対向する天板側縁１３ｃ，１３ｃとの間にそれぞれ配置される横補強リブ１５，１６とを形成している。
【０００８】
上記のように構成したことにより、天板１３を二つの領域１３ａ，１３ｂに分割する縦補強リブ１４と、前記二つの領域１３ａ，１３ｂにあって前記縦補強リブ１４と対向する天板側縁１３ｃ，１３ｃとの間にそれぞれ配置される横補強リブ１５，１６とによって天板１３全体の剛性が大幅に強化されるとともに、横補強リブ１５，１６を張り出し成形により成形したとしても、縦補強リブ１４によって二つの領域１３ａ，１３ｂに分割された部分に横補強リブ１５，１６は形成されることとなるので、成形後のスプリングバックによる天板１３の捩れや反り返しを減らすことができる。その結果、天板組み立て時の作業性が向上する。
【０００９】
本願発明では、さらに、上記課題を解決するための第２の手段として、上記第１の手段を備えた空気調和機用室内機において、前記天板１３を矩形形状とするとともに、前記縦補強リブ１４を、前記天板１３の対向する側縁１３ｃ，１３ｃと平行となすこともでき、そのように構成した場合、天板１３を矩形形状の二つの領域１３ａ，１３ｂに分割することができることとなるとともに、縦補強リブ１４を、内部に配置される部（例えば、仕切り材９等）の上端を支持する部材としても利用することができる。
【００１０】
本願発明では、さらに、上記課題を解決するための第３の手段として、上記第１又は第２の手段を備えた空気調和機用室内機において、前記横補強リブ１５，１６を複数本形成することもでき、そのように構成した場合、天板１３の剛性をより一層強化することができる。
【００１１】
本願発明では、さらに、上記課題を解決するための第４の手段として、上記第１、第２又は第３の手段を備えた空気調和機用室内機において、前記横補強リブ１５，１６を、前記縦補強リブ１４および天板側縁１３ｃ，１３ｃと直交する方向に形成することもでき、そのように構成した場合、横補強リブ１５，１６の長さを可及的に短くすることができるところから、横補強リブ１５，１６の形成が簡単になるとともに、横補強リブ１５，１６を張り出し成形により成形したとしても、成形後のスプリングバックによる天板１３の捩れや反り返しをより一層減らすことができることとなり、天板組み立て時の作業性がより一層向上する。
【００１２】
本願発明では、さらに、上記課題を解決するための第５の手段として、上記第４の手段を備えた空気調和機用室内機において、前記横補強リブ１５，１６を、前記縦補強リブ１４および天板側縁１３ｃと直交する方向に一直線に並ぶものと一直線に並ばないものとにより構成することもでき、そのように構成した場合、本体ケーシング１内に配設される機器に対応させることができる。
【００１３】
本願発明では、さらに、上記課題を解決するための第６の手段として、上記第１、第２、第３、第４又は第５の手段を備えた空気調和機用室内機において、前記二つの領域１３ａ，１３ｂにおける側周縁１３ｃ，１３ｄ，１３ｅに、下向きの縁曲げリブ１７，１７，１７を形成することもでき、そのように構成した場合、天板１３において縦補強リブ１４によって分割された二つの領域１３ａ，１３ｂの側周縁１３ｃ，１３ｄ，１３ｅの剛性が縁曲げリブ１７，１７，１７によって強化されることとなり、天板１３全体の剛性をより一層強化することができるとともに、横補強リブ１５，１６を張り出し成形により成形した場合における成形後のスプリングバックによる天板１３の捩れや反り返しをより一層減らすことができる。その結果、天板組み立て時の作業性が向上する。
【００１４】
本願発明では、さらに、上記課題を解決するための第７の手段として、上記第１、第２、第３、第４、第５又は第６の手段を備えた空気調和機用室内機において、前記縦補強リブ１４を、曲げ加工により形成することもでき、そのように構成した場合、縦補強リブ１４の成形後におけるスプリングバックが生ずることがなくなるとともに、天板１３を完全に分割された二つの領域により構成することが可能となり、成形後における捩れや反り返しの発生がなくなる。その結果、天板組み立て時の作業性が向上する。
【００１５】
本願発明では、さらに、上記課題を解決するための第８の手段として、上記第１、第２、第３、第４、第５、第６又は第７の手段を備えた空気調和機用室内機において、前記横補強リブ１５，１６を、張り出し成形により形成することもでき、そのように構成した場合、横補強リブ１５，１６の成形工程の簡略化を図ることができる。
【発明の効果】
【００１６】
本願発明の第１の手段によれば、ファン２および熱交換器３を収納する本体ケーシング１を備えた空気調和機用室内機において、前記本体ケーシング１の天板１３に、該天板１３を二つの領域１３ａ，１３ｂに分割する縦補強リブ１４と、前記二つの領域１３ａ，１３ｂにあって前記縦補強リブ１４と対向する天板側縁１３ｃ，１３ｃとの間にそれぞれ配置される横補強リブ１５，１６とを形成しているので、天板１３を二つの領域１３ａ，１３ｂに分割する縦補強リブ１４と、前記二つの領域１３ａ，１３ｂにあって前記縦補強リブ１４と対向する天板側縁１３ｃ，１３ｃとの間にそれぞれ配置される横補強リブ１５，１６とによって天板１３全体の剛性が大幅に強化されるという効果がある。しかも、横補強リブ１５，１６を張り出し成形により成形したとしても、縦補強リブ１４によって二つの領域１３ａ，１３ｂに分割された部分に横補強リブ１５，１６は形成されることとなるので、成形後のスプリングバックによる天板１３の捩れや反り返しを減らすことができ、天板組み立て時の作業性が向上するという効果もある。
【００１７】
本願発明の第２の手段におけるように、上記第１の手段を備えた空気調和機用室内機において、前記天板１３を矩形形状とするとともに、前記縦補強リブ１４を、前記天板１３の対向する側縁１３ｃ，１３ｃと平行となすこともでき、そのように構成した場合、天板１３を矩形形状の二つの領域１３ａ，１３ｂに分割することができることとなるとともに、縦補強リブ１４を、内部に配置される部（例えば、仕切り材９等）の上端を支持する部材としても利用することができる。
【００１８】
本願発明の第３の手段におけるように、上記第１又は第２の手段を備えた空気調和機用室内機において、前記横補強リブ１５，１６を複数本形成することもでき、そのように構成した場合、天板１３の剛性をより一層強化することができる。
【００１９】
本願発明の第４の手段におけるように、上記第１、第２又は第３の手段を備えた空気調和機用室内機において、前記横補強リブ１５，１６を、前記縦補強リブ１４および天板側縁１３ｃ，１３ｃと直交する方向に形成することもでき、そのように構成した場合、横補強リブ１５，１６の長さを可及的に短くすることができるところから、横補強リブ１５，１６の形成が簡単になるとともに、横補強リブ１５，１６を張り出し成形により成形したとしても、成形後のスプリングバックによる天板１３の捩れや反り返しをより一層減らすことができることとなり、天板組み立て時の作業性がより一層向上する。
【００２０】
本願発明の第５の手段におけるように、上記第４の手段を備えた空気調和機用室内機において、前記横補強リブ１５，１６を、前記縦補強リブ１４および天板側縁１３ｃと直交する方向に一直線に並ぶものと一直線に並ばないものとにより構成することもでき、そのように構成した場合、本体ケーシング１内に配設される機器に対応させることができる。
【００２１】
本願発明の第６の手段におけるように、上記第１、第２、第３、第４又は第５の手段を備えた空気調和機用室内機において、前記二つの領域１３ａ，１３ｂにおける側周縁１３ｃ，１３ｄ，１３ｅに、下向きの縁曲げリブ１７，１７，１７を形成することもでき、そのように構成した場合、天板１３において縦補強リブ１４によって分割された二つの領域１３ａ，１３ｂの側周縁１３ｃ，１３ｄ，１３ｅの剛性が縁曲げリブ１７，１７，１７によって強化されることとなり、天板１３全体の剛性をより一層強化することができるとともに、横補強リブ１５，１６を張り出し成形により成形した場合における成形後のスプリングバックによる天板１３の捩れや反り返しをより一層減らすことができる。その結果、天板組み立て時の作業性が向上する。
【００２２】
本願発明の第７の手段におけるように、上記第１、第２、第３、第４、第５又は第６の手段を備えた空気調和機用室内機において、前記縦補強リブ１４を、曲げ加工により形成することもでき、そのように構成した場合、縦補強リブ１４の成形後におけるスプリングバックが生ずることがなくなるとともに、天板１３を完全に分割された二つの領域により構成することが可能となり、成形後における捩れや反り返しの発生がなくなる。その結果、天板組み立て時の作業性が向上する。
【００２３】
本願発明の第８の手段におけるように、上記第１、第２、第３、第４、第５、第６又は第７の手段を備えた空気調和機用室内機において、前記横補強リブ１５，１６を、張り出し成形により形成することもでき、そのように構成した場合、横補強リブ１５，１６の成形工程の簡略化を図ることができる。
【発明を実施するための最良の形態】
【００２４】
以下、添付の図面を参照して、本願発明の幾つかの好適な実施の形態について説明する。
【００２５】
第１の実施の形態
図１には、本願発明の第１の実施の形態にかかる空気調和機用室内機における天板が示されている。
【００２６】
この天板は、図２に示した空気調和機用室内機Ａ（２ＨＰ用）の本体ケーシング１に適用するに最適なものとして構成されている。
【００２７】
図２に示す空気調和機用室内機Ａは、直方体形状の本体ケーシング１内にファン２および熱交換器３を収納して構成されており、ダクトの途中に配設されるビルトインタイプとされている。
【００２８】
前記ファン２として、スクロールタイプのファンケーシング５内に多翼羽根車６を配して構成されたシロッコファンが採用されており、ファンケーシング５の空気吸込口７から吸い込んだ空気をファンケーシング５の先端に設けられた吐出口８から吹き出すこととなっている。
【００２９】
前記本体ケーシング１内は、仕切り板９によってファン室１０と熱交換室１１とは区画されており、前記ファン２は、ファンケーシング５の先端部を前記仕切り板９に支持することによってファン室１０内に配設されている。
【００３０】
前記熱交換室１１内には、前記熱交換器３が傾斜姿勢で配設されており、前記ファン室１０に接続された吸込ダクト４ａから吸い込まれてファン２から吹き出される室内空気Ｗｒを冷却あるいは加熱して調和空気Ｗとして吹出ダクト４ｂから室内へ吹き出すこととなっている。符号１２はドレンパンである。
【００３１】
前記本体ケーシング１の天板１３には、図１に示すように、該天板１３を二つの領域１３ａ，１３ｂに分割する縦補強リブ１４と、前記二つの領域１３ａ，１３ｂにあって前記縦補強リブ１４と対向する天板側縁１３ｃ，１３ｃとの間にそれぞれ配置される二つずつの横補強リブ１５，１５および１６，１６とが形成されている。また、天板１３における前記二つの領域１３ａ，１３ｂにおける側周縁１３ｃ，１３ｄ，１３ｅには、下向きの縁曲げリブ１７，１７，１７が形成されている。このようにすると、天板１３において縦補強リブ１４によって分割された二つの領域１３ａ，１３ｂの側周縁１３ｃ，１３ｄ，１３ｅの剛性が縁曲げリブ１７，１７，１７によって強化されることとなる。
【００３２】
前記縦補強リブ１４は、前記天板側縁１３ｃ，１３ｃと平行であって天板１３を前記二つの領域１３ａ，１３ｂに分離する貫通凹溝とされており、本実施の形態の場合、曲げ加工により形成される。このようにすると、天板１３を矩形形状の二つの領域１３ａ，１３ｂに分割することができることとなるとともに、縦補強リブ１４を形成した後において、前記二つのリブ１３ａ，１３ｂに加工歪みが発生することはない。この縦補強リブ１４は、仕切り板９の上端を支持する部材としても作用する。
【００３３】
また、前記横補強リブ１５，１６は、前記天板側縁１３ｃ，１３ｃと直交する方向に形成するのが、長さを可及的に短くすることができる点で望ましいが、傾斜状態（最大４５°程度まで）とすることもできる。また、この横補強リブ１５，１６の形成本数は、二つの領域１３ａ，１３ｂの大きさに対応して選択すればよいし、領域１３ａ，１３ｂにおいて同じ形状とする必要もない。なお、横補強リブ１５，１６の形成位置は、本体ケーシング１内に配設される機器に対応して決定される場合もある。例えば、図１に示すように、領域１３ａに形成される横補強リブ１５，１５の一方と領域１３ｂに形成される横補強リブ１６，１６の一方とが縦補強リブ１４および天板側縁１３ｃ，１３ｃと直交する方向において一直線に並ぶとともに、前記横補強リブ１５，１５の他方と横補強リブ１６，１６の他方とが縦補強リブ１４および天板側縁１３ｃ，１３ｃと直交する方向において一直線に並ばないように形成することもできる。
【００３４】
ところで、前記天板１３における横補強リブ１５，１５は、張り出し成形により形成される。
【００３５】
この張り出し成形とは、図３（イ）〜（ハ）に示す成形金型を用いて行われ、天板１３は、図３（ニ）に示すブランク材１３′から成形される。
【００３６】
即ち、図３（ハ）示すダイＸ上に図３（ニ）に示すブランク材１３′を載せ、該ブランク材１３′を、図３（ロ）に示すホルダーＹで保持した状態で、図３（イ）に示す縁曲げパンチＺａとリブ付けパンチＺｂを押し付けることにより、天板１３が成形されることとなっているのである。なお、前記ブランク材１３′には、縦補強リブ１４が予め曲げ加工により形成されている。この張り出し成形は、成形工程の簡略化を図ることができるが、成形後のスプリングバックによる天板１３の捩れや反り返しが問題となる。しかしながら、本実施の形態におけるように、天板１３に、該天板１３を二つの領域１３ａ，１３ｂに分割する縦補強リブ１４と、前記二つの領域１３ａ，１３ｂにあって前記縦補強リブ１４と対向する天板側縁１３ｃ，１３ｃとの間にそれぞれ配置される横補強リブ１５，１６とを形成した場合、天板１３全体の剛性が大幅に強化されるとともに、縦補強リブ１４によって二つの領域１３ａ，１３ｂに分割された部分に横補強リブ１５，１６は形成されることとなるので、成形後のスプリングバックによる天板１３の捩れや反り返しを減らすことができる。その結果、天板組み立て時の作業性が向上する。
【００３７】
第２の実施の形態
図４には、本願発明の第２の実施の形態にかかる空気調和機用室内機の天板構造が示されている。
【００３８】
この場合、空気調和機用室内機（５ＨＰ用）の天板１３の構造であり、天板１３における二つの領域１３ａ，１３ｂには、４個ずつの横補強リブ１５，１５，１５，１５および１６，１６，１６，１６が形成されている。この場合においても、領域１３ａに形成される横補強リブ１５，１５，１５，１５の二つと領域１３ｂに形成される横補強リブ１６，１６，１６，１６の二つとが縦補強リブ１４および天板側縁１３ｃ，１３ｃと直交する方向においてそれぞれ一直線に並ぶとともに、前記横補強リブ１５，１５，１５，１５の残りの二つと横補強リブ１６，１６，１６，１６の残りの二つとが縦補強リブ１４および天板側縁１３ｃ，１３ｃと直交する方向において一直線に並ばないように形成されている。
【００３９】
その他の構成および作用効果は、第１の実施の形態におけると同様なので説明を省略する。
【００４０】
本実施の形態においては、空気調和機用室内機として、ビルトインタイプの室内機を例としているが、本願発明は、他の形式の空気調和機用室内機にも適用可能なことは勿論である。
【図面の簡単な説明】
【００４１】
【図１】本願発明の第１の実施の形態にかかる空気調和機用室内機における天板の斜視図である。
【図２】本願発明の第１の実施の形態にかかる空気調和機用室内機の縦断側面図である。
【図３】本願発明の第１の実施の形態にかかる空気調和機用室内機における天板の成形に用いられる金型を示し、（イ）は縁曲げパンチとリブ付けパンチを示し、（ロ）はホルダーを示し、（ハ）はダイを示し、（ニ）はブランク材を示している。
【図４】本願発明の第２の実施の形態にかかる空気調和機用室内機における天板の斜視図である。
【符号の説明】
【００４２】
１は本体ケーシング
２はファン
３は熱交換器
１３は天板
１３ａ，１３ｂは領域
１３ｃ，１３ｄ，１３ｅは側周縁
１４は縦補強リブ
１５，１６は横補強リブ
１７は縁曲げリブ
【図１】
0004305559.tif 000002
【図２】
0004305559.tif 000003
【図３】
0004305559.tif 000004
【図４】
0004305559.tif 000005